(57)【要約】【課題】画層の画面のオリジナルの色彩や質感等を損なうことなく、絵画層の画面を汚れや傷等から保護することができる絵画の画面保護構造の提供。【解決手段】透明硬質板とガスバリア性材料で形成された密閉空間であって、酸素濃度が４％以下の前記密閉空間内に、絵画を封入し、前記透明硬質板を前記絵画の画面と対向する位置に配置した、絵画の画面保護構造。【選択図】図１
2020069754.tif 000002
【特許請求の範囲】
【請求項１】
透明硬質板とガスバリア性材料で形成された密閉空間であって、酸素濃度が４％以下の前記密閉空間内に、絵画を封入し、前記透明硬質板を前記絵画の画面と対向する位置に配置した、絵画の画面保護構造。
【請求項２】
前記密閉空間内に、絵画と共に脱酸素剤を封入し、前記脱酸素剤を前記絵画の背面側に配置した、請求項１に記載の絵画の画面保護構造。
【請求項３】
前記密閉空間の相対湿度が４０〜６５％ＲＨである、請求項１又は２に記載の絵画の画面保護構造。
【請求項４】
前記脱酸素剤が、有機系脱酸素剤である、請求項２〜３の何れかに記載の絵画の画面保護構造。
【請求項５】
前記ガスバリア性材料が、金属及び蒸着フィルムの少なくとも何れかである、請求項１〜４の何れかに記載の絵画の画面保護構造。
【請求項６】
前記ガスバリア性材料が、トレー若しくはフィルムの形状を有する、請求項１〜５の何れかに記載の絵画の画面保護構造。
【請求項７】
前記金属が、アルミニウムである、請求項５又は６に記載の絵画の画面保護構造。
【請求項８】
前記蒸着フィルムが、アルミニウム蒸着樹脂フィルム及び酸化ケイ素蒸着樹脂フィルムの少なくとも何れかである、請求項５又は６に記載の絵画の画面保護構造。
【請求項９】
前記透明硬質板が、ガラス板、ポリカーボネート板またはアクリル樹脂板である、請求項１〜８の何れかに記載の絵画の画面保護構造。
【請求項１０】
前記ガラス板が、低反射ガラス若しくは低反射強化ガラスからなる、請求項９に記載の絵画の画面保護構造。
【発明の詳細な説明】
【技術分野】
【０００１】
本発明は、絵画の画面保護構造に関する。
【背景技術】
【０００２】
一般的に、油彩画は、下から順に、木枠、支持体（麻布等からなるキャンバス等）、目止め層、下地層、絵画層、ニス層を重ねて構成される。
【０００３】
ニス層は、絵画層の画面を汚れや傷等から保護する機能を有し、古くから、ニスの塗布方法等について様々な技法が研究されている（例えば、非特許文献１等）。
【０００４】
１８〜１９世紀には、ニス中の樹脂成分として、主に天然樹脂が使用されてきた。天然樹脂を使用したニスは、経年変化により黄変して絵画層のオリジナルの色彩が損なわれるという欠点がある。このため、２０世紀以降には、ニス中の樹脂成分として、主に合成樹脂が使用されている。合成樹脂を使用したニスは、黄変はしにくいが、絵画層にニスを重ねることで、オリジナルの絵画において画家が意図していた質感（筆致や表面の艶、色の重なりなど）が損なわれてしまうという欠点がある。
【先行技術文献】
【非特許文献】
【０００５】
【非特許文献１】C.チェンニーニ(著),中村彝(翻訳),藤井久栄(翻訳)：芸術の書―絵画技法論―中央公論美術出版、Ｐ166-167（昭和51年）
【発明の概要】
【発明が解決しようとする課題】
【０００６】
本発明はこのような事情に鑑みてなされたものであり、絵画層の画面のオリジナルの色彩や質感等を損なうことなく、絵画層の画面を汚れや傷等から保護することができる絵画の画面保護構造の提供を目的とする。
【課題を解決するための手段】
【０００７】
本発明は、以下の［１］〜［１０］を提供する。
[１]  透明硬質板とガスバリア性材料で形成された密閉空間であって、酸素濃度が４％以下の前記密閉空間内に、絵画を封入し、前記透明硬質板を前記絵画の画面と対向する位置に配置した、絵画の画面保護構造。
[２]  前記密閉空間内に、絵画と共に脱酸素剤を封入し、前記脱酸素剤を前記絵画の背面側に配置した、［１］の絵画の画面保護構造。
[３]  前記密閉空間の相対湿度が４０〜６５％ＲＨである、［１］又は［２］の絵画の画面保護構造。
[４]  前記脱酸素剤が、有機系脱酸素剤である、［２］〜［３］の何れかの絵画の画面保護構造。
[５]  前記ガスバリア性材料が、金属及び蒸着フィルムの少なくとも何れかである、［１］〜［４］の何れかの絵画の画面保護構造。
[６]  前記ガスバリア性材料が、トレー若しくはフィルムの形状を有する、［１］〜［５］の何れかの絵画の画面保護構造。
[７]  前記金属が、アルミニウムである、［５］又は［６］の絵画の画面保護構造。
[８]  前記蒸着フィルムが、アルミニウム蒸着樹脂フィルム及び酸化ケイ素蒸着樹脂フィルムの少なくとも何れかである、［５］又は［６］の絵画の画面保護構造。
[９]  前記透明硬質板が、ガラス板、ポリカーボネート板またはアクリル樹脂板である、［１］〜［８］の何れかの絵画の画面保護構造。
[１０]  前記ガラス板が、低反射ガラス若しくは低反射強化ガラスからなる、［９］の絵画の画面保護構造。
【発明の効果】
【０００８】
本発明によれば、絵画層のオリジナルの色彩や質感等を損なうことなく、絵画層の画面を汚れや傷等から保護することができる。
【図面の簡単な説明】
【０００９】
【図１】本発明の一実施形態における絵画の画面保護構造の説明図である。
【図２】図１の実施形態における、透明硬質板とガスバリア性材料の接合部の拡大説明図である。
【図３】図１の実施形態における、透明硬質板とガスバリア性材料の接合部の拡大説明図である。
【図４】本発明の他の実施形態における絵画の画面保護構造の説明図である。
【図５】図４の実施形態における、透明硬質板とガスバリア性材料の接合部の拡大説明図である。
【図６】本発明の他の実施形態における絵画の画面保護構造の説明図である。
【発明を実施するための形態】
【００１０】
以下、本発明の一実施形態の絵画の画面保護構造を詳細に説明する。ただし、本発明は下記の実施形態に限定されるものではない。
以下の説明において、数値範囲を示す「Ａ〜Ｂ」の記載は、端点であるＡ及びＢを含む数値範囲を示す。すなわち、「Ａ以上Ｂ以下」（Ａ＜Ｂである場合）、又は「Ａ以下Ｂ以上」（Ａ＞Ｂである場合）を意味する。
【００１１】
本発明では、図１に示すように、絵画１は、透明硬質板２と、ガスバリア性材料３で形成した密閉空間４であって、酸素濃度が４％以下である密閉空間４に封入される。密閉空間４において、絵画１の背面側に、脱酸素剤５を配置することが好ましい。
前記絵画の層構成は特に限定されないが、支持体（麻布等からなるキャンバス等）上に絵画層を有するものを例示することができる。
【００１２】
前記絵画１は、その画面（絵画層の表面）が前記透明硬質板２と対向する位置に配置される。
【００１３】
前記密閉空間４の酸素濃度は前記のように４％以下であり、好ましくは２％以下、更に好ましくは１％以下、特に好ましくは０．１％以下である。
このように、実質的に無酸素状態の密閉空間に絵画を配置することで、支持体や絵画層の酸化を回避することができる。
密閉空間４の酸素濃度を４％以下とする方法としては、密閉空間４に絵画１とともに脱酸素剤５を封入する方法の他、窒素、アルゴン等の不活性ガスを用いて、密閉空間４のガス置換を行う方法が挙げられる。
本実施形態では脱酸素剤５を使用しているが、脱酸素剤５の使用は必須ではなく、ガス置換のみで密閉空間４の酸素濃度を４％以下としてもよい。脱酸素剤５と、前記のガス置換を併用した場合、脱酸素剤の使用量を低減することができる。
【００１４】
脱酸素剤５は、酸素を化学反応によって取り除くものである。脱酸素剤５には、鉄粉を主成分とする鉄系脱酸素剤と、鉄粉を使用しない有機系脱酸素剤がある。有機系脱酸素剤として、例えば、アスコルビン酸を主剤としたもの（特開昭５１−１３６８４５号公報）やフェノール類（フェノール、カテコール、ピロガロール、クレゾール等）を主剤としたもの（特開平１０−８５５９３号公報）、不飽和基を有した脂肪族炭化水素を主剤としたもの（特開２０００−５５９６号公報）が知られている。
鉄系脱酸素剤や、アスコルビン酸を主剤とした有機系脱酸素剤、フェノール類を主剤とした有機系脱酸素剤は、いずれも、酸素を吸収するのに水分を必要とするため、系内が高湿度であることが必要であり、絵画とともに密閉空間に封入する本発明の用途には適さない。
本発明の用途には、不飽和基を有した脂肪族炭化水素を主剤とした有機系脱酸素剤が好ましく、液状ブタジエンオリゴマー、液状イソプレンオリゴマー、液状アセチレンオリゴマー、液状スチレンブタジエン共重合体、液状アクリロニトリルブタジエン共重合体、液状クロロプレンオリゴマー、液状不飽和ポリエステル樹脂、天然ゴム等の液状オリゴマーを主剤とした有機系脱酸素剤がより好ましい。液状ブタジエンオリゴマーを主剤とした有機系脱酸素剤は、酸素吸収後の発生ガス量が少なく、臭いも殆どないため、本発明の用途に特に適している。
市販品として例えば三菱瓦斯化学（株）製の文化財専用の脱酸素剤「ＲＰ-Ｋ剤」を例示することができる。ＲＰ-Ｋ剤は、密閉容器内の酸素濃度を０．１％未満にし、対象物の酸化を防止する機能を有する。ＲＰ-Ｋ剤は、密閉容器内の相対湿度にはほとんど影響を与えず、密閉容器内の相対湿度は対象物の含水量と平衡状態になる。
【００１５】
前記密閉空間４は、その密閉性を維持するために、透明硬質板２とガスバリア性材料３で形成される。透明硬質板２とガスバリア性材料３の接合部はガスバリア性の封止材で封止することが好ましい。
【００１６】
ガスバリア性材料３としては、一般に、プラスチックス容器、フィルム袋、金属容器、ガラス容器等が例示できる。
本発明におけるガスバリア性材料３は、前面部材である透明硬質板２と組合せて使用される部材である。当該用途のためには、ガスバリア性材料３は、金属及び蒸着フィルムの少なくとも何れかからなることが好ましく、アルミトレー、アルミフィルム、アルミニウム蒸着樹脂フィルム、酸化ケイ素蒸着樹脂フィルムの少なくとも何れかであることがより好ましい。具体的には、アルミニウム箔等の金属箔をラミネートしたアルミフィルムを例示することができる。
【００１７】
前記封止材は、接合部が目立たない透明なシート型接着剤であることが好ましく、例えば、感熱型のエチレン・ビニルアセテート系可塑性接着剤シート（BEVA(R) 371 Film等）や、常温感圧型のアクリル系接着剤シート（３ＭTM アクリルフォームテープ等）を用いることができる。
接着力の観点からは、透明硬質板２とガスバリア性材料３の接合面積は大きいほど好ましいが、本発明は、その構造で保護された絵画を額縁と組み合わせて展示することを前提としているため、ガスバリア性材料３は額縁内に完全に収められ、額装した際に外部から視認されないことが好ましい。
【００１８】
例えば、図１に示すようにガスバリア性材料３としてアルミフィルムを用いる場合、図２に示す「透明硬質板２と、ガスバリア性材料３の前面との接合部９の幅（W1）」は、３．０〜７．０ｍｍであることが好ましく、４．０〜６．０ｍｍであることがより好ましく、４．５〜５．５ｍｍであることがさらに好ましく、図３に示す「透明硬質板２と、ガスバリア性材料３の側面との接合部９の幅（W2）」は、１．０〜５．０ｍｍであることが好ましく、１．５〜３．５ｍｍであることがより好ましく、２．０〜３．０ｍｍであることがさらに好ましい。
例えば、図４に示すようにガスバリア性材料３としてアルミトレーを用いる場合、図５に示す「透明硬質板２と、ガスバリア性材料３の前面との接合部９の幅（W1）」は、３．０〜７．０ｍｍであることが好ましく、４．０〜６．０ｍｍであることがより好ましい。
【００１９】
密閉空間４内は、実質的に無酸素状態に維持され、かつ、絵画１に適した後述の相対湿度に維持されることが好ましい。密閉空間４内を前記状態に維持するため、ガスバリア性材料３は、２５℃、６０％ＲＨにおける酸素透過度が５０ml／m2・day・atm以下で、かつ４０℃、９０％ＲＨにおける水蒸気透過度が５g／m2・day以下の「ガスバリア性能」を備えることが好ましい。
前述のように、密閉空間４の酸素濃度を４％以下とする方法としては、密閉空間４に絵画１とともに脱酸素剤５を封入する方法の他、窒素、アルゴン等の不活性ガスを用いて、密閉空間４のガス置換を行う方法が挙げられる。このうち、ガス置換を行う方法は、例えば、図６に示すように、ガスバリア性材料３であるアルミトレーの両側に孔部６を設け、前記両側の孔部６に繋がる循環流路７を設け、前記循環流路７に不活性ガスを供給する不活性ガス供給源８を設けた構造により実現することができる。ここで、ガス置換に用いる不活性ガスは、前記密閉空間の相対湿度が４０〜６５％ＲＨに維持されるように湿度を調整した調湿不活性ガスであることが好ましい。
前記酸素透過度は、１０ml／m2・day・atm以下であることがさらに好ましく、１ml／m2・day・atm以下であることが特に好ましい。
前記水蒸気透過度は、１g／m2・day以下であることがさらに好ましく、０．５ g／m2・day以下であることが特に好ましい。
【００２０】
透明硬質板２としては、ガラスのほか、アクリル樹脂、エン・チオール樹脂、ポリカーボネート樹脂、ポリエーテル樹脂、ポリアリレート樹脂、ポリサルホン樹脂、ポリエーテルサルホン樹脂、ポリパラフェニレン樹脂、ポリアリーレンエーテルフォスフィンオキシド樹脂、ポリイミド樹脂、ポリアミドイミド樹脂、環状オレフィン樹脂およびポリエステル樹脂からなる群より選択される少なくとも１種を含む透明樹脂を例示することができる。
本発明は、展示中の絵画、あるいは倉庫での保管中の絵画の何れをも対象とするものであるが、特に、絵画を額縁と組み合わせて展示する際に、その画面を保護する目的で、好適に用いることができる。この場合、前記透明硬質板２は、展示された絵画の画面の視認性を良好にする観点から、ガラス板、ポリカーボネート板またはアクリル樹脂板であることが好ましく、低反射ガラス若しくは低反射強化ガラスであることが特に好ましい。
従来のニスを用いた絵画の表面保護方法では、絵画の物理的な損傷（落書き、薬品、凶器、事故、唾液の付着等）や、環境による損傷（ハエの糞の付着、虫害、カビの発生、水漏れ、空気汚染、塩害などを回避することはできなかったが、本発明では、絵画が密閉空間内にあって、画面（絵画層側）が透明硬質板２で保護されているため、これらの物理的な損傷や、環境による損傷などを回避することができる。物理的また人為的な損傷の懸念がない場合、美術館等は、鑑賞者に対して、より至近距離での絵画鑑賞を楽しんでもらうサービスを提供することもできる。
【００２１】
前記密閉空間４の相対湿度は、４０〜６５％ＲＨであることが好ましく、５０〜６０％ＲＨであることがより好ましく、５０〜５５％ＲＨであることが更に好ましい。
ICCROM(文化財保存修復研究国際センター)は、各種文化財に対し、顔料や染料、紙、金属など素材別に温湿度による影響を検証し、最適な温湿度基準を定めている。当該基準では、油絵の温湿度基準として「約２０℃、相対湿度５０〜５５％ＲＨ」を定めている。また、紙、木、染色品、漆作品の温湿度基準として「約２０℃、相対湿度５５〜６５％ＲＨ」を定めている。  金属、石の温湿度基準として「約２０℃、相対湿度４５％ＲＨ」を定めている
従来、絵画は、額縁に密閉性のほとんどない状態で収めて展示されてきた。美術館等の公共スペースでは、展示室自体を上記の基準に調節して対応している。
しかし、四季を通じて温度と湿度の変化が大きい日本などの国において、年間を通じて上記基準を満足する環境を維持するためには、手間とコストが嵩むという問題があった。また、絵画の搬送中に、上記の環境を維持できず、絵画の劣化が進行する恐れがあるという問題があった。
これに対し、本発明では、上記のようにガスバリア性の高い密閉空間４を形成しており、この密閉空間４では、絵画を密閉した際の湿度（例えば５０％ＲＨ）を半永久的に維持することができる。本発明によれば、密閉空間４の相対湿度が常時、絵画にとって最適な範囲に維持されるため、展示室の温湿度管理を従来ほど厳しくコントロールする必要がなくなり、従来温湿度のコントロールに要していた手間やコストを大幅に削減することができる。また、絵画の搬送中の劣化を回避することができる。
【００２２】
前記密閉空間４に当初封入される空気の温度（すなわち、絵画を密閉空間に封入する作業時の温度）は、２４℃以下であることが好ましい。
２４℃超の高温の空気が封入された場合、額縁と組み合わせて展示した状態で、その額装の置かれた環境の温度が低下した際に、前記密閉空間４内で結露が生じる恐れがあるが、前記温度を２４℃以下とすることで、当該結露を回避することができ、結露に起因するカビの発生を回避することができる。
前記温度は、１８〜２４℃であることが好ましく、１８〜２３℃であることがより好ましく、２０〜２２℃であることが更に好ましい。
【００２３】
前記密閉空間４には、脱酸素剤５と共に、ガス吸収剤および調湿剤を混合して用いることも可能である。これらの単一剤あるいは混合物は適宜、粉体、顆粒、錠剤やシート状等にして用いられる。脱酸素剤、ガス吸収剤、および調湿剤は、被保存物品に直接触れることは好ましくなく、通常は、例えば、紙、不織布またはプラスチック等を基材とする通気性包材に包装して包装体として使用される。また脱酸素剤は、その一部あるいは全部を、ガス吸収剤や調湿剤と一緒の包装体としても、また各々別の包装体としても良い。包装体の形態は必ずしも限定されず、目的に応じて、例えば、小袋、シート、ブリスター包装体等が挙げられる。包装体の包装材料および構成は特に限定されない。また防塵対策として、上記包装体を酸素、無機ガス、有機ガス及び水分の透過性に支障をきたさず、かつ包装体から発生するダストを外部に放出させない無塵包材で更に覆い、二重包装体とすることも可能である。しかし包装体自体に防塵対策が施されている場合には、改めて無塵包材で覆う必要はない。
【００２４】
前記ガス吸収剤としては、主に、酸素以外のガスを吸収するものであって、具体的には、被酸化主剤である不飽和基を有した液状炭化水素オリゴマーに脱酸素反応する前に含まれる揮発性の高い低分子量体あるいは脱酸素反応において生成する水素・一酸化炭素・二酸化炭素・炭化水素類・アルデヒド類・ケトン類・カルボン酸類等のガス成分並びに密閉する雰囲気中にある硫化水素、アンモニア等の腐食性ガス成分等を吸収する物であり、この目的を達成するものであれば特に限定するものではない。ガス吸収剤としては、酸化アルミニウム・モレキュラーシーブスに代表される合成ゼオライト、モルデナイト・エリオナイト等の天然ゼオライト、パーライト・酸性白土や活性白土等の粘土鉱物、シリカゲル等の多孔質ガラス、活性炭・活性炭素繊維・モレキュラーシービングカーボン・骨炭等の活性炭類、酸化カルシウム・酸化バリウム・酸化マグネシウム等のアルカリ土類金属の酸化物、水酸化ナトリウム・水酸化カリウム・消石灰等の水酸化物、珪酸マグネウム、珪酸アルミニウム、高分子吸着剤、硫酸ナトリウム、炭酸ナトリウム、炭酸カリウム、ソーダ石灰、アスカライト、有機酸塩、有機アミン類等の吸収剤が挙げられる。また、ガス吸収剤として、被酸化主剤の担体に選定されるものを選び、ガス吸収能を持たせることも実用的な使用方法であり、この場合には改めてガス吸収剤を加える必要はない。更にこれらガス吸収剤は必ずしも単一物質である必要はなく、二種以上の混合物であっても良い。
ガス吸収剤の使用量としては、ガス吸収剤の吸収能力により必要な量が変わってくるが、酸素吸収前に主剤に含まれるガスならびに酸素吸収後発生したガスを実質的に除去できる量を適宜選ぶ必要がある。
【００２５】
前記調湿剤としては、密閉空間４内の相対湿度を所定の値に調湿するものであれば特に限定されないが、塩化バリウム二水塩・酢酸カリウム・酢酸ナトリウム三水塩・塩化カルシウム六水塩・硝酸カルシウム四水塩・硫酸カルシウム五水塩・三酸化クロム・シュウ酸二水物・リン酸二分の一水塩・臭化カリウム・フッ化カリウム・硫酸水素カリウム・ヨウ化カリウム・亜硝酸カリウム・炭酸カリウム二水塩・過クロム酸カリウム・塩化リチウム一水塩・酢酸マグネシウム四水塩・硝酸マグネシウム六水塩・塩化アンモニウム・硫酸アンモニウム・臭化ナトリウム・臭化ナトリウム二水塩・臭素酸ナトリウム・塩素酸ナトリウム・フッ化ナトリウム・ヨウ化ナトリウム・亜硝酸ナトリウム・炭酸ナトリウム十水塩・ニクロム酸ナトリウム二水塩・硫酸ナトリウム十水塩・硝酸鉛・硝酸亜鉛六水塩・硫酸亜鉛七水塩等の飽和水溶液を綿、紙または珪藻土等に含浸させたものが挙げられる。また、水／グリセリン混合溶液を綿、紙または珪藻土等に含浸させたもの等が挙げられる。また、平衡含水率分の水分を含んだ紙、綿、皮革、ゴム、木、木炭等も挙げられる。
調湿剤の使用量としては、密閉空間４の相対湿度を４０〜６５％ＲＨに保つために必要な量であり、好ましくは、その量の１．１〜５００倍の範囲である。
【００２６】
上記構成からなる本発明によれば、ニスを用いることなく、すなわち、絵画層のオリジナルの色彩や質感等を損なうことなく、絵画層の画面を汚れや傷等から、半永久的に保護することができる。また、上記構成からなる本発明によれば、絵画の展示室の湿度条件に左右されることなく、常時、絵画に最適な湿度条件下で絵画の展示をすることができる。
【符号の説明】
【００２７】
１    絵画
２    透明硬質板
３    ガスバリア性材料
４    密閉空間
５    脱酸素剤
６    孔部
７    循環流路
８    不活性ガス供給源
９    接合部
【図１】
2020069754.tif 000003
【図２】
2020069754.tif 000004
【図３】
2020069754.tif 000005
【図４】
2020069754.tif 000006
【図５】
2020069754.tif 000007
【図６】
2020069754.tif 000008
【手続補正書】
【提出日】令和1年10月2日(2019.10.2)
【手続補正１】
【補正対象書類名】特許請求の範囲
【補正対象項目名】全文
【補正方法】変更
【補正の内容】
【特許請求の範囲】
【請求項１】
透明硬質板とガスバリア性材料で形成された密閉空間であって、酸素濃度が４％以下の前記密閉空間内に、絵画を封入し、前記透明硬質板を前記絵画の画面と対向する位置に配置し、
前記密閉空間内に、前記絵画と共に、不飽和基を有した脂肪族炭化水素を主剤とした有機系脱酸素剤を封入し、前記有機系脱酸素剤を前記絵画の背面側に配置した、絵画の画面保護構造。
【請求項２】
前記透明硬質板と、前記ガスバリア性材料の前面との接合部の幅が、３．０〜７．０ｍｍである、請求項１に記載の絵画の画面保護構造。
【請求項３】
前記密閉空間内に、前記絵画及び前記有機系脱酸素剤と共に、前記密閉空間内の相対湿度を４０〜６５％ＲＨに調湿する調湿剤を封入した、請求項１又は２に記載の絵画の画面保護構造。
【請求項４】
前記ガスバリア性材料が、金属及び蒸着フィルムの少なくとも何れかである、請求項１〜３の何れかに記載の絵画の画面保護構造。
【請求項５】
前記ガスバリア性材料が、トレー若しくはフィルムの形状を有する、請求項１〜４の何れかに記載の絵画の画面保護構造。
【請求項６】
前記金属が、アルミニウムである、請求項４又は５に記載の絵画の画面保護構造。
【請求項７】
前記蒸着フィルムが、アルミニウム蒸着樹脂フィルム及び酸化ケイ素蒸着樹脂フィルムの少なくとも何れかである、請求項４又は５に記載の絵画の画面保護構造。
【請求項８】
前記透明硬質板が、ガラス板、ポリカーボネート板またはアクリル樹脂板である、請求項１〜７の何れかに記載の絵画の画面保護構造。
【請求項９】
前記ガラス板が、低反射ガラス若しくは低反射強化ガラスからなる、請求項８に記載の絵画の画面保護構造。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
透明硬質板とガスバリア性材料で形成された密閉空間であって、酸素濃度が４％以下の前記密閉空間内に、絵画を封入し、前記透明硬質板を前記絵画の画面と対向する位置に配置し、
前記密閉空間内に、前記絵画と共に、不飽和基を有した脂肪族炭化水素を主剤とした有機系脱酸素剤を封入し、前記有機系脱酸素剤を前記絵画の背面側に配置し、
前記透明硬質板と、前記ガスバリア性材料の前面との接合部の幅が、３．０〜７．０ｍｍである、絵画の画面保護構造。
【請求項２】
前記密閉空間内に、前記絵画及び前記有機系脱酸素剤と共に、前記密閉空間内の相対湿度を４０〜６５％ＲＨに調湿する調湿剤を封入した、請求項１に記載の絵画の画面保護構造。
【請求項３】
前記ガスバリア性材料が、金属及び蒸着フィルムの少なくとも何れかである、請求項１又は２に記載の絵画の画面保護構造。
【請求項４】
前記ガスバリア性材料が、トレー若しくはフィルムの形状を有する、請求項１〜３の何れかに記載の絵画の画面保護構造。
【請求項５】
前記金属が、アルミニウムである、請求項３又は４に記載の絵画の画面保護構造。
【請求項６】
前記蒸着フィルムが、アルミニウム蒸着樹脂フィルム及び酸化ケイ素蒸着樹脂フィルムの少なくとも何れかである、請求項３又は４に記載の絵画の画面保護構造。
【請求項７】
前記透明硬質板が、ガラス板、ポリカーボネート板またはアクリル樹脂板である、請求項１〜６の何れかに記載の絵画の画面保護構造。
【請求項８】
前記ガラス板が、低反射ガラス若しくは低反射強化ガラスからなる、請求項７に記載の絵画の画面保護構造。
【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
透明硬質板とガスバリア性材料で形成された密閉空間であって、酸素濃度が４％以下の前記密閉空間内に、絵画を封入し、前記透明硬質板を前記絵画の画面と対向する位置に配置し、
前記密閉空間内に、前記絵画と共に、不飽和基を有した脂肪族炭化水素を主剤とした有機系脱酸素剤を封入し、前記有機系脱酸素剤を前記絵画の背面側に配置し、
前記透明硬質板と、前記ガスバリア性材料の前面との接合部の幅が、３．０〜７．０ｍｍである、請求項１に記載の絵画の画面保護構造。
【請求項２】
前記密閉空間内に、前記絵画及び前記有機系脱酸素剤と共に、前記密閉空間内の相対湿度を４０〜６５％ＲＨに調湿する調湿剤を封入した、請求項１に記載の絵画の画面保護構造。
【請求項３】
前記ガスバリア性材料が、金属及び蒸着フィルムの少なくとも何れかである、請求項１又は２に記載の絵画の画面保護構造。
【請求項４】
前記ガスバリア性材料が、トレー若しくはフィルムの形状を有する、請求項１〜３の何れかに記載の絵画の画面保護構造。
【請求項５】
前記金属が、アルミニウムである、請求項３に記載の絵画の画面保護構造。
【請求項６】
前記蒸着フィルムが、アルミニウム蒸着樹脂フィルム及び酸化ケイ素蒸着樹脂フィルムの少なくとも何れかである、請求項３に記載の絵画の画面保護構造。
【請求項７】
前記透明硬質板が、ガラス板、ポリカーボネート板またはアクリル樹脂板である、請求項１〜６の何れかに記載の絵画の画面保護構造。
【請求項８】
前記ガラス板が、低反射ガラス若しくは低反射強化ガラスからなる、請求項７に記載の絵画の画面保護構造。